(57)【要約】【課題】動画像を示す画像データから所望のシーンのみを効率よく抽出することのできる撮像装置、編集装置、編集システム及び編集方法を得る。【解決手段】撮像装置１２により、動画像の撮像により得られた当該動画像を示す映像データ１４Ａと、当該撮像時の自己の位置を示す位置情報が含まれた付帯データ１４Ｂと、を関連付けて動画像ファイル１４として記録する。【選択図】　　　　図１
2004128680.tif 000002
【特許請求の範囲】
【請求項１】
動画像を撮像して当該動画像を示す画像データを出力する撮像手段と、
自己の位置を示す位置情報を取得する取得手段と、
前記撮像手段による動画像の撮像により前記撮像手段から出力された画像データと当該撮像時に前記取得手段により取得された前記位置情報とを関連付けて記録媒体に記録する記録手段と、
を備えた撮像装置。
【請求項２】
前記取得手段は、前記位置情報として緯度情報及び経度情報を取得し、
前記取得手段により取得された前記緯度情報及び前記経度情報によって示される位置を示す名称情報及び住所情報の少なくとも一方を導出する導出手段を更に備え、
前記記録手段は、前記導出手段により導出された前記名称情報及び前記住所情報の少なくとも一方を対応する前記画像データと関連付けて記録媒体に更に記録する
請求項１記載の撮像装置。
【請求項３】
前記取得手段は、日付を示す日付情報を更に取得し、
前記取得手段により取得された前記位置情報により示される位置における前記日付情報により示される日付の天候を示す天候情報を導出する天候導出手段を更に備え、
前記記録手段は、前記天候導出手段により導出された前記天候情報を対応する前記画像データと関連付けて記録媒体に更に記録する
請求項１又は請求項２記載の撮像装置。
【請求項４】
動画像が撮像されて得られた画像データと当該撮像が行なわれた位置を示す位置情報とを関連付けた状態で入力する入力手段と、
前記入力手段により入力された前記位置情報によって示される位置を示す名称情報及び住所情報の少なくとも一方を導出する場所情報導出手段と、
前記場所情報導出手段により導出された名称情報及び住所情報の少なくとも一方を前記入力手段により入力された前記画像データと関連付けて記録する場所情報記録手段と、
を備えた編集装置。
【請求項５】
動画像が撮像されて得られた画像データと当該撮像が行なわれた位置を示す位置情報とを関連付けた状態で入力する第１入力手段と、
画像の抽出対象とする撮像位置を示す抽出情報を入力する第２入力手段と、
前記第１入力手段により入力された前記位置情報から前記第２入力手段により入力された前記抽出情報によって示される撮像位置を示す情報を抽出し、当該情報に対応する画像データを前記第１入力手段により入力された前記画像データから抽出する抽出手段と、
を備えた編集装置。
【請求項６】
前記第１入力手段により入力された前記位置情報によって示される位置を示す名称情報及び住所情報の少なくとも一方を導出する場所情報導出手段を更に備え、
前記抽出手段は、前記場所情報導出手段により導出された名称情報及び住所情報の少なくとも一方から前記第２入力手段により入力された前記抽出情報によって示される撮像位置を示す情報を抽出し、当該情報に対応する画像データを前記第１入力手段により入力された前記画像データから抽出する
請求項５記載の編集装置。
【請求項７】
動画像が撮像されて得られた画像データと当該撮像が行なわれた位置を示す位置情報及び当該撮像が行なわれた日付を示す日付情報とを関連付けた状態で入力する入力手段と、
前記入力手段により入力された前記位置情報によって示される位置における前記日付情報により示される日付の天候を示す天候情報を導出する天候情報導出手段と、
前記天候情報導出手段により導出された天候情報を前記入力手段により入力された前記画像データと関連付けて記録する天候情報記録手段と、
を備えた編集装置。
【請求項８】
画像の抽出対象とする天候を示す天候抽出情報を入力する第２入力手段と、
前記天候情報導出手段により導出された前記天候情報から前記第２入力手段により入力された前記天候抽出情報によって示される天候を示す情報を抽出し、当該情報に対応する画像データを前記入力手段により入力された前記画像データから抽出する抽出手段と、
を更に備えた請求項７記載の編集装置。
【請求項９】
請求項５、請求項６及び請求項８の何れか１項記載の編集装置と、
前記編集装置の前記抽出手段により抽出された画像データを予め定められた可搬型の記録媒体に記録する画像記録装置と、
前記編集装置と前記画像記録装置とを電気的に接続する接続手段と、
を含む編集システム。
【請求項１０】
動画像が撮像されて得られた画像データと当該撮像が行なわれた位置を示す位置情報とを関連付けた状態で入力し、
入力した前記位置情報によって示される位置を示す名称情報及び住所情報の少なくとも一方を導出し、
導出した名称情報及び住所情報の少なくとも一方を前記入力手段により入力された前記画像データと関連付けて記録する
編集方法。
【請求項１１】
動画像が撮像されて得られた画像データと当該撮像が行なわれた位置を示す位置情報とを関連付けた状態で入力すると共に、画像の抽出対象とする撮像位置を示す抽出情報を入力し、
前記位置情報から前記抽出情報によって示される撮像位置を示す情報を抽出し、当該情報に対応する画像データを前記画像データから抽出する
編集方法。
【請求項１２】
前記位置情報によって示される位置を示す名称情報及び住所情報の少なくとも一方を導出し、
導出した名称情報及び住所情報の少なくとも一方から前記抽出情報によって示される撮像位置を示す情報を抽出し、当該情報に対応する画像データを前記画像データから抽出する
請求項１１記載の編集方法。
【請求項１３】
動画像が撮像されて得られた画像データと当該撮像が行なわれた位置を示す位置情報及び当該撮像が行なわれた日付を示す日付情報とを関連付けた状態で入力し、
前記位置情報により示される位置における前記日付情報により示される日付の天候を示す天候情報を導出し、
導出した天候情報を前記画像データと関連付けて記録する
編集方法。
【請求項１４】
画像の抽出対象とする天候を示す天候抽出情報を更に入力し、
前記天候情報から前記天候抽出情報によって示される天候を示す情報を抽出し、当該情報に対応する画像データを前記画像データから抽出する
請求項１３記載の編集方法。
【発明の詳細な説明】
【０００１】
【発明の属する技術分野】
本発明は、撮像装置、編集装置、編集システム及び編集方法に係り、特に、動画像を示す画像データから所望のシーンのみを容易に抽出することのできる撮像装置、編集装置、編集システム及び編集方法に関する。
【０００２】
【従来の技術】
近年、ＣＣＤ（Ｃｈａｒｇｅ　Ｃｏｕｐｌｅｄ　Ｄｅｖｉｃｅ、電荷結合素子）、ＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）イメージ・センサ等の撮像素子の高解像度化に伴い、デジタル・スチル・カメラの需要が急増している。また、この種のデジタル・スチル・カメラには、静止画像の撮影の他、動画像の撮影が行えるものも多数製品化されている。
【０００３】
ところで、この種のデジタル・スチル・カメラで撮影された静止画像については、当該画像を印画紙にプリントするサービスが従来から行われており、この種のサービスに関する技術として、デジタル技術を利用したプリント注文を容易とするために、プリントする画像を示す画像データを記録した記録媒体に当該プリントに関する注文情報をファイルとして付与する技術や、当該技術に適した注文情報の記述方法等が提案されている（例えば、特許文献１及び特許文献２参照。）。
【０００４】
一方、上記のようにデジタル・スチル・カメラで動画撮影を行うことが一般的になりつつある中で、撮影によって得られた動画像を示す画像ファイルからも、指定したシーンをプリントするサービスや、指定したシーンをＤＶＤ（Ｄｉｇｉｔａｌ　Ｖｅｒｓａｔｉｌｅ　Ｄｉｓｃ）等の記録媒体に記録するサービス等が求められている。
【０００５】
そして、このようなサービスを効率的に行なうためには、動画像を示す画像データから所望のシーンのみを効率よく抽出することが求められる。
【０００６】
【特許文献１】
特開平１０−２８３４０４号公報
【特許文献２】
特開平１０−２１４２９５号公報
【０００７】
【発明が解決しようとする課題】
しかしながら、上記特許文献１及び特許文献２の技術では、静止画像のみが取り扱い対象として想定されているため、動画像を示す画像データから所望のシーンのみを効率よく抽出することが困難である、という問題点があった。
【０００８】
このため、動画像を対象としたプリントサービスや記録サービス等を効率的に行うことが難しく、この結果、料金が高くなったり、当該サービスの普及の妨げになることが予想される。
【０００９】
本発明は上記問題点を解消するためになされたものであり、動画像を示す画像データから所望のシーンのみを効率よく抽出することのできる撮像装置、編集装置、編集システム及び編集方法を提供することを目的とする。
【００１０】
【課題を解決するための手段】
上記目的を達成するために、請求項１記載の撮像装置は、動画像を撮像して当該動画像を示す画像データを出力する撮像手段と、自己の位置を示す位置情報を取得する取得手段と、前記撮像手段による動画像の撮像により前記撮像手段から出力された画像データと当該撮像時に前記取得手段により取得された前記位置情報とを関連付けて記録媒体に記録する記録手段と、を備えている。
【００１１】
請求項１記載の撮像装置によれば、撮像手段によって動画像が撮像されて当該動画像を示す画像データが出力される。なお、上記撮像手段には、ＣＣＤ、ＣＭＯＳイメージ・センサ等の固体撮像素子を含めることができる。
【００１２】
ここで、請求項１に記載の撮像装置では、記録手段により、撮像手段による動画像の撮像により撮像手段から出力された画像データと、当該撮像時に自己の位置を示す位置情報を取得する取得手段により取得された上記位置情報と、が関連付けられて記録媒体に記録される。なお、上記取得手段による自己の位置を示す位置情報の取得には、ＧＰＳ（Ｇｌｏｂａｌ　Ｐｏｓｉｔｉｏｎｉｎｇ　Ｓｙｓｔｅｍ）を利用した取得、ＰＨＳ（Ｐｅｒｓｏｎａｌ　Ｈａｎｄｙ−ｐｈｏｎｅ　Ｓｙｓｔｅｍ）を利用した取得等が含まれる。
【００１３】
すなわち、本発明では、撮像によって得られた画像データと、当該撮像を行なった位置を示す位置情報と、を関連付けて記録するようにしており、これによって、記録した位置情報から所望のシーンを撮影した位置を示す位置情報を抽出することのみにより、動画像を示す画像データから所望のシーンのみを効率よく抽出することができるようにしている。
【００１４】
なお、上記記録媒体には、ＲＡＭ（Ｒａｎｄｏｍ　Ａｃｃｅｓｓ　Ｍｅｍｏｒｙ）、ＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）、フラッシュＥＥＰＲＯＭ（Ｆｌａｓｈ　ＥＥＰＲＯＭ）等の記憶素子、スマートメディア（Ｓｍａｒｔ　Ｍｅｄｉａ（Ｒ））、コンパクト・フラッシュ、ＡＴＡ（ＡＴ　Ａｔｔａｃｈｍｅｎｔ）カード、フロッピィディスク、ＣＤ−Ｒ（Ｃｏｍｐａｃｔ　Ｄｉｓｃ−Ｒｅｃｏｒｄａｂｌｅ）、ＣＤ−ＲＷ（Ｃｏｍｐａｃｔ　Ｄｉｓｃ−ＲｅＷｒｉｔａｂｌｅ）、光磁気ディスク、マイクロドライブ等の可搬型の記録媒体やハードディスク等の固定記録媒体、或いはネットワークに接続されたサーバ・コンピュータ等に設けられた外部記憶装置等を用いることができる。
【００１５】
このように、請求項１に記載の撮像装置によれば、動画像の撮像により得られた当該動画像を示す画像データと当該撮像時の自己の位置を示す位置情報とを関連付けて記録媒体に記録しているので、記録した位置情報から所望のシーンを撮影した位置を示す位置情報を抽出することのみにより、動画像を示す画像データから所望のシーンのみを効率よく抽出することができる。
【００１６】
また、請求項２記載の撮像装置は、請求項１記載の発明において、前記取得手段は、前記位置情報として緯度情報及び経度情報を取得し、前記取得手段により取得された前記緯度情報及び前記経度情報によって示される位置を示す名称情報及び住所情報の少なくとも一方を導出する導出手段を更に備え、前記記録手段は、前記導出手段により導出された前記名称情報及び前記住所情報の少なくとも一方を対応する前記画像データと関連付けて記録媒体に更に記録するものである。
【００１７】
請求項２記載の撮像装置によれば、取得手段により、上記位置情報として緯度情報及び経度情報が取得され、導出手段により、取得手段によって取得された緯度情報及び経度情報によって示される位置を示す名称情報及び住所情報の少なくとも一方が導出され、記録手段により、上記導出手段によって導出された名称情報及び住所情報の少なくとも一方が、対応する上記画像データと関連付けられて記録媒体に更に記録される。
【００１８】
なお、上記名称情報には、公園名、海岸名、山名、学校名、遊園地名、建物名、及び史跡名を各々示す情報が含まれ、上記住所情報には、通常の郵便で用いられる住所を示す情報が含められる。
【００１９】
また、本発明の導出手段による名称情報及び住所情報の少なくとも一方の導出は、取り扱い対象とするエリア内における各所の位置情報と、これに対応する名称情報及び住所情報の少なくとも一方と、が関連付けられた状態で予め記憶された記憶装置（本発明の撮像装置の外部に設けられた記憶装置を含む。）から、取得手段により取得された位置情報に対応する名称情報及び住所情報の少なくとも一方を読出すことにより導出する形態を例示することができる。
【００２０】
すなわち、本発明では、一般的に馴染みの深い名称情報及び住所情報の少なくとも一方を位置情報に基づき導出して対応する画像データに関連付けて記録するようにしており、これによって、より効率よく所望のシーンのみを抽出することができるようにしている。
【００２１】
このように、請求項２に記載の撮像装置によれば、本発明の位置情報として緯度情報及び経度情報を取得し、取得した緯度情報及び経度情報によって示される位置を示す名称情報及び住所情報の少なくとも一方を導出し、導出した名称情報及び住所情報の少なくとも一方を対応する画像データと関連付けて記録媒体に更に記録しているので、より効率よく所望のシーンのみを抽出することができる。
【００２２】
更に、請求項３記載の撮像装置は、請求項１又は請求項２記載の発明において、前記取得手段は、日付を示す日付情報を更に取得し、前記取得手段により取得された前記位置情報により示される位置における前記日付情報により示される日付の天候を示す天候情報を導出する天候導出手段を更に備え、前記記録手段は、前記天候導出手段により導出された前記天候情報を対応する前記画像データと関連付けて記録媒体に更に記録するものである。
【００２３】
請求項３記載の撮像装置によれば、取得手段により、日付を示す日付情報が更に取得され、取得された上記位置情報により示される位置における上記日付情報により示される日付の天候を示す天候情報が天候導出手段により導出され、記録手段により、上記天候導出手段により導出された天候情報が、対応する画像データと関連付けられて記録媒体に更に記録される。
【００２４】
なお、本発明の天候導出手段による天候情報の導出は、取り扱い対象とするエリア内における各所の位置情報と、これに対応する過去の所定期間内における天候情報と、が関連付けられた状態で予め記憶された記憶装置（本発明の撮像装置の外部に設けられた記憶装置を含む。）から、取得手段により取得された位置情報及び日付情報に対応する天候情報を読出すことにより導出する形態を例示することができる。
【００２５】
すなわち、本発明では、撮像によって得られた画像データと、当該撮像を行なった位置を示す位置情報及び当該撮像を行なった日付を示す日付情報に基づいて導出された天候情報と、を関連付けて記録するようにしており、これによって、記録した天候情報から所望のシーンを撮影したときの天候を示す天候情報を抽出することのみにより、動画像を示す画像データから所望のシーンのみを効率よく抽出することができるようにしている。
【００２６】
このように、請求項３に記載の撮像装置によれば、請求項１又は請求項２記載の発明と同様の効果を奏することができると共に、動画像の撮像により得られた当該動画像を示す画像データと当該撮像時における天候を示す天候情報とを関連付けて記録媒体に記録しているので、記録した天候情報から所望のシーンを撮影したときの天候を示す天候情報を抽出することのみにより、動画像を示す画像データから所望のシーンのみを効率よく抽出することができる。
【００２７】
一方、上記目的を達成するために、請求項４記載の編集装置は、動画像が撮像されて得られた画像データと当該撮像が行なわれた位置を示す位置情報とを関連付けた状態で入力する入力手段と、前記入力手段により入力された前記位置情報によって示される位置を示す名称情報及び住所情報の少なくとも一方を導出する場所情報導出手段と、前記場所情報導出手段により導出された名称情報及び住所情報の少なくとも一方を前記入力手段により入力された前記画像データと関連付けて記録する場所情報記録手段と、を備えている。
【００２８】
請求項４記載の編集装置によれば、動画像が撮像されて得られた画像データと当該撮像が行なわれた位置を示す位置情報とが関連付けられた状態で入力手段により入力される。なお、上記入力手段としては、インターネット、ＬＡＮ（Ｌｏｃａｌ　Ａｒｅａ　Ｎｅｔｗｏｒｋ）、ＶＡＮ（Ｖａｌｕｅ　Ａｄｄｅｄ　Ｎｅｔｗｏｒｋ）等のネットワークを介して本発明の画像データ及び位置情報を入力する入力ポートや、本発明の画像データ及び位置情報が記録された記録媒体から、これらの情報を読み取る読取装置、これらの情報の人手による入力を直接受け付けるキーボード等を例示することができる。
【００２９】
ここで、請求項４記載の発明では、入力手段により入力された位置情報によって示される位置を示す名称情報及び住所情報の少なくとも一方が場所情報導出手段により導出され、導出された名称情報及び住所情報の少なくとも一方が、場所情報記録手段により、入力手段によって入力された画像データと関連付けられて記録される。
【００３０】
なお、上記名称情報には、公園名、海岸名、山名、学校名、遊園地名、建物名、及び史跡名を各々示す情報が含まれ、上記住所情報には、通常の郵便で用いられる住所を示す情報が含められる。
【００３１】
また、本発明の場所情報導出手段による名称情報及び住所情報の少なくとも一方の導出は、取り扱い対象とするエリア内における各所の位置情報と、これに対応する名称情報及び住所情報の少なくとも一方と、が関連付けられた状態で予め記憶された記憶装置（本発明の編集装置の外部に設けられた記憶装置を含む。）から、入力手段により入力された位置情報に対応する名称情報及び住所情報の少なくとも一方を読出すことにより導出する形態を例示することができる。
【００３２】
すなわち、本発明では、撮像によって得られた画像データに関連付けられた状態で入力した、当該撮像が行なわれた位置を示す位置情報に基づいて、一般的に馴染みの深い名称情報及び住所情報の少なくとも一方を導出し、導出した情報を上記画像データに関連付けて記録するようにしており、これによって、導出した名称情報及び住所情報の少なくとも一方から所望のシーンを撮影した位置を示す情報を抽出することのみにより、動画像を示す画像データから所望のシーンのみを効率よく抽出することができるようにしている。
【００３３】
このように、請求項４に記載の編集装置によれば、動画像が撮像されて得られた画像データと当該撮像が行なわれた位置を示す位置情報とを関連付けた状態で入力し、入力した位置情報によって示される位置を示す名称情報及び住所情報の少なくとも一方を導出し、導出した名称情報及び住所情報の少なくとも一方を、入力した画像データと関連付けて記録しているので、動画像を示す画像データから所望のシーンのみを効率よく抽出することができる。
【００３４】
一方、上記目的を達成するために、請求項５記載の編集装置は、動画像が撮像されて得られた画像データと当該撮像が行なわれた位置を示す位置情報とを関連付けた状態で入力する第１入力手段と、画像の抽出対象とする撮像位置を示す抽出情報を入力する第２入力手段と、前記第１入力手段により入力された前記位置情報から前記第２入力手段により入力された前記抽出情報によって示される撮像位置を示す情報を抽出し、当該情報に対応する画像データを前記第１入力手段により入力された前記画像データから抽出する抽出手段と、を備えたものである。
【００３５】
請求項５記載の編集装置によれば、動画像が撮像されて得られた画像データと当該撮像が行なわれた位置を示す位置情報とが関連付けられた状態で第１入力手段により入力され、画像の抽出対象とする撮像位置を示す抽出情報が第２入力手段により入力される。なお、上記第１入力手段及び第２入力手段としては、インターネット、ＬＡＮ、ＶＡＮ等のネットワークを介して本発明の画像データ、位置情報、及び抽出情報を入力する入力ポートや、本発明の画像データ、位置情報、及び抽出情報が記録された記録媒体から、これらの情報を読み取る読取装置、これらの情報の人手による入力を直接受け付けるキーボード等を例示することができる。
【００３６】
ここで、請求項５記載の発明では、抽出手段により、第１入力手段により入力された位置情報から第２入力手段により入力された抽出情報によって示される撮像位置を示す情報が抽出され、当該情報に対応する画像データが第１入力手段により入力された画像データから抽出される。
【００３７】
このように、請求項５に記載の編集装置によれば、動画像が撮像されて得られた画像データと当該撮像が行なわれた位置を示す位置情報とを関連付けた状態で入力すると共に、画像の抽出対象とする撮像位置を示す抽出情報を入力し、上記位置情報から上記抽出情報によって示される撮像位置を示す情報を抽出し、当該情報に対応する画像データを上記画像データから抽出しているので、動画像を示す画像データから所望のシーンのみを効率よく抽出することができる。
【００３８】
また、請求項６記載の編集装置は、請求項５記載の発明において、前記第１入力手段により入力された前記位置情報によって示される位置を示す名称情報及び住所情報の少なくとも一方を導出する場所情報導出手段を更に備え、前記抽出手段は、前記場所情報導出手段により導出された名称情報及び住所情報の少なくとも一方から前記第２入力手段により入力された前記抽出情報によって示される撮像位置を示す情報を抽出し、当該情報に対応する画像データを前記第１入力手段により入力された前記画像データから抽出するものである。
【００３９】
請求項６記載の編集装置によれば、第１入力手段により入力された位置情報によって示される位置を示す名称情報及び住所情報の少なくとも一方が場所情報導出手段により導出され、抽出手段により、導出された名称情報及び住所情報の少なくとも一方から第２入力手段により入力された抽出情報によって示される撮像位置を示す情報が抽出され、当該情報に対応する画像データが第１入力手段により入力された画像データから抽出される。
【００４０】
なお、上記名称情報には、公園名、海岸名、山名、学校名、遊園地名、建物名、及び史跡名を各々示す情報が含まれ、上記住所情報には、通常の郵便で用いられる住所を示す情報が含められる。
【００４１】
また、本発明の場所情報導出手段による名称情報及び住所情報の少なくとも一方の導出は、取り扱い対象とするエリア内における各所の位置情報と、これに対応する名称情報及び住所情報の少なくとも一方と、が関連付けられた状態で予め記憶された記憶装置（本発明の編集装置の外部に設けられた記憶装置を含む。）から、第１入力手段により入力された位置情報に対応する名称情報及び住所情報の少なくとも一方を読出すことにより導出する形態を例示することができる。
【００４２】
すなわち、本発明では、一般的に馴染みの深い名称情報及び住所情報の少なくとも一方を位置情報に基づき導出し、導出した情報を利用して所望のシーンを抽出するようにしており、これによって、より効率よく所望のシーンのみを抽出することができるようにしている。
【００４３】
このように、請求項６に記載の編集装置によれば、位置情報によって示される位置を示す名称情報及び住所情報の少なくとも一方を導出し、導出した名称情報及び住所情報の少なくとも一方から抽出情報によって示される撮像位置を示す情報を抽出し、当該情報に対応する画像データを入力された画像データから抽出しているので、より効率よく所望のシーンのみを抽出することができる。
【００４４】
一方、上記目的を達成するために、請求項７記載の編集装置は、動画像が撮像されて得られた画像データと当該撮像が行なわれた位置を示す位置情報及び当該撮像が行なわれた日付を示す日付情報とを関連付けた状態で入力する入力手段と、前記入力手段により入力された前記位置情報によって示される位置における前記日付情報により示される日付の天候を示す天候情報を導出する天候情報導出手段と、前記天候情報導出手段により導出された天候情報を前記入力手段により入力された前記画像データと関連付けて記録する天候情報記録手段と、を備えたものである。
【００４５】
請求項７記載の編集装置によれば、動画像が撮像されて得られた画像データと当該撮像が行なわれた位置を示す位置情報及び当該撮像が行なわれた日付を示す日付情報とが関連付けられた状態で入力手段により入力される。なお、上記入力手段としては、インターネット、ＬＡＮ、ＶＡＮ等のネットワークを介して本発明の画像データ、位置情報、及び日付情報を入力する入力ポートや、本発明の画像データ、位置情報、及び日付情報が記録された記録媒体から、これらの情報を読み取る読取装置、これらの情報の人手による入力を直接受け付けるキーボード等を例示することができる。
【００４６】
ここで、請求項７記載の発明では、入力手段により入力された位置情報によって示される位置における、日付情報により示される日付の天候を示す天候情報が天候情報導出手段により導出され、導出された天候情報が入力手段により入力された画像データと関連付けられて天候情報記録手段により記録される。
【００４７】
なお、本発明の天気情報導出手段による天気情報の導出は、取り扱い対象とするエリア内における各所の位置情報と、これに対応する過去の所定期間内における天候情報と、が関連付けられた状態で予め記憶された記憶装置（本発明の編集装置の外部に設けられた記憶装置を含む。）から、入力手段により入力された位置情報及び日付情報に対応する天候情報を読出すことにより導出する形態を例示することができる。
【００４８】
すなわち、本発明では、撮像によって得られた画像データと、当該撮像が行なわれた位置を示す位置情報及び当該撮像が行なわれた日付を示す日付情報に基づいて導出された天候情報と、を関連付けて記録するようにしており、これによって、記録した天候情報から所望のシーンを撮影したときの天候を示す天候情報を抽出することのみにより、動画像を示す画像データから所望のシーンのみを効率よく抽出することができるようにしている。
【００４９】
このように、請求項７に記載の編集装置によれば、動画像が撮像されて得られた画像データと当該撮像が行なわれた位置を示す位置情報及び当該撮像が行なわれた日付を示す日付情報とを関連付けた状態で入力し、入力した位置情報によって示される位置における上記日付情報により示される日付の天候を示す天候情報を導出し、導出した天候情報を上記画像データと関連付けて記録しているので、動画像を示す画像データから所望のシーンのみを効率よく抽出することができる。
【００５０】
また、請求項８記載の編集装置は、請求項７記載の発明において、画像の抽出対象とする天候を示す天候抽出情報を入力する第２入力手段と、前記天候情報導出手段により導出された前記天候情報から前記第２入力手段により入力された前記天候抽出情報によって示される天候を示す情報を抽出し、当該情報に対応する画像データを前記入力手段により入力された前記画像データから抽出する抽出手段と、を更に備えたものである。
【００５１】
請求項８記載の編集装置によれば、画像の抽出対象とする天候を示す天候抽出情報が第２入力手段により入力される。なお、上記第２入力手段としては、インターネット、ＬＡＮ、ＶＡＮ等のネットワークを介して本発明の天候抽出情報を入力する入力ポートや、本発明の天候抽出情報が記録された記録媒体から当該情報を読み取る読取装置、当該情報の人手による入力を直接受け付けるキーボード等を例示することができる。
【００５２】
ここで、請求項８に記載の発明では、抽出手段により、天候情報導出手段によって導出された天候情報から第２入力手段により入力された天候抽出情報によって示される天候を示す情報が抽出され、当該情報に対応する画像データが入力手段により入力された画像データから抽出される。
【００５３】
このように、請求項８に記載の編集装置によれば、画像の抽出対象とする天候を示す天候抽出情報を更に入力し、上記天候情報から上記天候抽出情報によって示される天候を示す情報を抽出し、当該情報に対応する画像データを上記画像データから抽出しているので、動画像を示す画像データから所望のシーンのみを効率よく抽出することができる。
【００５４】
一方、上記目的を達成するために、請求項９記載の編集システムは、請求項５、請求項６及び請求項８の何れか１項記載の編集装置と、前記編集装置の前記抽出手段により抽出された画像データを予め定められた可搬型の記録媒体に記録する画像記録装置と、前記編集装置と前記画像記録装置とを電気的に接続する接続手段と、を含む。
【００５５】
請求項９記載の編集システムによれば、請求項５、請求項６及び請求項８の何れか１項記載の編集装置の抽出手段により抽出された画像データが、接続手段によって当該編集装置と電気的に接続された画像記録装置によって予め定められた可搬型の記録媒体に記録される。
【００５６】
なお、上記可搬型の記録媒体には、スマートメディア、コンパクト・フラッシュ、ＡＴＡカード、フロッピィディスク、ＣＤ−Ｒ、ＣＤ−ＲＷ、光磁気ディスク、マイクロドライブ等が含まれる。
【００５７】
このように、請求項９に記載の編集システムによれば、請求項５、請求項６及び請求項８の何れか１項記載の編集装置が含まれるので、これらの発明と同様に、動画像を示す画像データから所望のシーンのみを効率よく抽出することができると共に、抽出された画像データを予め定められた可搬型の記録媒体に記録しているので、当該記録媒体を効率よく得ることができる。
【００５８】
一方、上記目的を達成するために、請求項１０記載の編集方法は、動画像が撮像されて得られた画像データと当該撮像が行なわれた位置を示す位置情報とを関連付けた状態で入力し、入力した前記位置情報によって示される位置を示す名称情報及び住所情報の少なくとも一方を導出し、導出した名称情報及び住所情報の少なくとも一方を前記入力手段により入力された前記画像データと関連付けて記録するものである。
【００５９】
従って、請求項１０記載の編集方法によれば、請求項４記載の発明と同様に作用するので、請求項４記載の発明と同様に、動画像を示す画像データから所望のシーンのみを効率よく抽出することができる。
【００６０】
また、請求項１１記載の編集方法は、動画像が撮像されて得られた画像データと当該撮像が行なわれた位置を示す位置情報とを関連付けた状態で入力すると共に、画像の抽出対象とする撮像位置を示す抽出情報を入力し、前記位置情報から前記抽出情報によって示される撮像位置を示す情報を抽出し、当該情報に対応する画像データを前記画像データから抽出するものである。
【００６１】
従って、請求項１１記載の編集方法によれば、請求項５記載の発明と同様に作用するので、請求項５記載の発明と同様に、動画像を示す画像データから所望のシーンのみを効率よく抽出することができる。
【００６２】
また、請求項１２記載の編集方法は、請求項１１記載の発明において、前記位置情報によって示される位置を示す名称情報及び住所情報の少なくとも一方を導出し、導出した名称情報及び住所情報の少なくとも一方から前記抽出情報によって示される撮像位置を示す情報を抽出し、当該情報に対応する画像データを前記画像データから抽出するものである。
【００６３】
従って、請求項１２記載の編集方法によれば、請求項６記載の発明と同様に作用するので、請求項６記載の発明と同様に、より効率よく所望のシーンのみを抽出することができる。
【００６４】
また、請求項１３記載の編集方法は、動画像が撮像されて得られた画像データと当該撮像が行なわれた位置を示す位置情報及び当該撮像が行なわれた日付を示す日付情報とを関連付けた状態で入力し、前記位置情報により示される位置における前記日付情報により示される日付の天候を示す天候情報を導出し、導出した天候情報を前記画像データと関連付けて記録するものである。
【００６５】
従って、請求項１３記載の編集方法によれば、請求項７記載の発明と同様に作用するので、請求項７記載の発明と同様に、動画像を示す画像データから所望のシーンのみを効率よく抽出することができる。
【００６６】
更に、請求項１４記載の編集方法は、請求項１３記載の発明において、画像の抽出対象とする天候を示す天候抽出情報を更に入力し、前記天候情報から前記天候抽出情報によって示される天候を示す情報を抽出し、当該情報に対応する画像データを前記画像データから抽出するものである。
【００６７】
従って、請求項１４記載の編集方法によれば、請求項８記載の発明と同様に作用するので、請求項８記載の発明と同様に、動画像を示す画像データから所望のシーンのみを効率よく抽出することができる。
【００６８】
【発明の実施の形態】
以下、図面を参照して、本発明の実施の形態について詳細に説明する。なお、以下では、本発明の撮像装置を静止画像の他、動画像の撮影も行うことができるデジタル・スチル・カメラ（以下、単に「デジタルカメラ」という。）に適用し、本発明の編集装置をデジタルカメラによる撮影等によって得られた映像データを用いた映像サービスシステムを構築するためにＤＰＥ（Ｄｅｖｅｌｏｐｉｎｇ　Ｐｒｉｎｔｉｎｇ　Ｅｎｌａｒｇｉｎｇ）受付店（以下、「ラボ店」という。）に設置されている端末装置に適用し、本発明の編集システムを上記映像サービスシステムに適用した場合について説明する。
【００６９】
〔第１実施形態〕
まず、本実施の形態で取り扱う動画像について説明する。本実施の形態では、動画像の把握を容易とするため、静止画像とほぼ同様に、動画像は映像データに付帯データが付加された動画像ファイルとして扱う。
【００７０】
すなわち、デジタルカメラなどで撮影された静止画像で提供される撮影画像は、撮影画像の把握を容易とするため、撮影画像そのものの画像データ以外に、ファイル名や撮影条件などの属性データを含んだ形式（所謂ＥＸＩＦ（Ｅｘｃｈａｎｇｅａｂｌｅ　Ｉｍａｇｅ　Ｆｉｌｅ　Ｆｏｒｍａｔ）形式）の画像ファイルとして流通される。
【００７１】
このＥＸＩＦ形式の画像ファイルには、個々の撮影画像毎に、画像データ以外に属性データとして、ファイル名、撮影に使用したデジタルカメラの機種、撮影日時、撮影時の撮影条件（デジタルカメラの設定）を表す各種情報（例えばシャッタースピード、絞り値、画質モード（画像データの圧縮率）、感度、露出プログラムのモード、測光方式、ホワイトバランスのモード、フォーカスのモード、シャープネスのモード、焦点距離、露出補正値、ストロボのオンオフ、ストロボ補正値、マクロモードのオンオフ等）等の情報が含まれている。
【００７２】
ところで、動画像は、静止画像が時系列的に連続された静止画像群である。この静止画像群に含まれる１静止画像は、動画像中の１フレームとして扱うことができる。従って、動画像は、フレーム単位（静止画像単位）で時間や位置を特定することが可能である。
【００７３】
そこで、本実施の形態では、その静止画像群である動画像を対象とした付帯データが映像データ（静止画像群の画像ファイル群）に付加された動画像ファイルとして扱う。この付帯データは、動画像の利用形態を特定したり範囲を指定したりするためのデータである。
【００７４】
詳細には、動画像ファイルは、映像データと付帯データとから構成される。映像データは、時系列的に連続した上述のＥＸＩＦ形式の画像ファイルで構成することができる。なお、ＥＸＩＦ形式による画像ファイルによる属性データは、静止画像データの各々に帰属させてもよいが、所定数毎に帰属させてもよく、内容に変動があったときにそのフレームである静止画像データに帰属させてもよい。
【００７５】
付帯データは、動画像単位で、映像データ以外に、次の表１に示す、ステータス、インデックス、フレームプリント、メール配信、ＧＰＳ情報、日付情報、カメラ機種、及びＰＷ情報の８つの各項目に大分類された内容を含んでいる。
【００７６】
【表１】
2004128680.tif 000003
【００７７】
付帯データの、第１の項目である「ステータス」は、映像データの扱い（フレームの重要性）を表すものであり、適用内容と適用範囲から構成される。適用内容は、代表、主要、保管用、不要の４種類に小分類されており、各々の小分類には、適用範囲としてフレーム番号（フレームＮｏ．）が対応される。ステータス（代表）の項目は動画像ファイル内の代表的なフレームやフレーム範囲を示すもので、主に動画像ファイルからダイジェスト版を作成するときに参照するために用いられる。ステータス（主要）の項目は動画像ファイル内の主要な（標準的な）フレームやフレーム範囲を示すもので、主に動画像ファイルを標準的に（通常のモードで）再生するときに参照するために用いられる。ステータス（保管用）の項目は動画像ファイルを保管するときのフレームやフレーム範囲を示すもので、主に保管用とすべき動画像ファイルを全て（フルモードで）再生するときに参照するために用いられる。ステータス（不要）の項目は動画像ファイルに含まれる不要なフレームやフレーム範囲を示すもので、主にメディア変換時や動画ファイル送信時に削除されるべきフレームやフレーム範囲を参照するために用いられる。
【００７８】
項目は、コード情報で表される。表１の例では、第１の項目「ステータス」を表す「１」に適用内容の序列の番号０〜３が連続されて構成される。すなわち、ステータス（代表）の項目は「１０」、ステータス（主要）の項目は「１１」、ステータス（保管用）の項目は「１２」、ステータス（不要）の項目は「１３」のコード情報で表される。また、適用範囲は開始フレームと終了フレームとから構成されている（開始フレーム：終了フレーム）。
【００７９】
付帯データの、第２の項目である「インデックス」は、映像データにおける位置を表すものであり、主にインデックス作成時のフレームの位置を表している。適用内容としては、プリントインデックス、モニターインデックスの２種類に小分類されており、その適用範囲としてフレーム番号（フレームＮｏ．）が対応される。プリントインデックスは、動画像ファイルに関するインデックスをプリントするときのフレームやフレーム範囲を示すもので、モニターインデックスは、動画像ファイルをモニターなどに表示するときのフレームやフレーム範囲を示すものである。プリントインデックスは「２０」、モニターインデックスは「２１」のコード情報で表される。
【００８０】
付帯データの、第３の項目である「フレームプリント」は、映像データにおけるプリント指示の位置を表すものであり、映像データからプリントを作成する時のフレームの位置を表している。適用内容としては、プリントサイズによって、Ｌサイズプリント、２Ｌサイズプリント、ポストカードプリントの３種類に小分類されており、その適用範囲としてフレーム番号（フレームＮｏ．）及び枚数が対応される。Ｌサイズプリントは「３０」、２Ｌサイズプリントは「３１」、ポストカードプリントは「３２」のコード情報で表される。
【００８１】
付帯データの、第４の項目である「メール配信」は、映像データを電送することを表すものであり、電送形態、宛先及び電送範囲が対応される。適用内容としては、電送形態により小分類され、電送形態には宛先を含んでいる。表１の例では、動画像をメール送信する場合に「４０」のコード情報で表され、静止画像をメール送信する場合に「４１」のコード情報で表される。内容には、アドレス（”△＠□．ｃｏｍ”、”×＠○．ｃｏ．ｊｐ”、”△＠○．ｃｏ．ｊｐ”）を含み、電送範囲としてフレーム番号（フレームＮｏ．）またはフレーム範囲が対応される。
【００８２】
付帯データの、第５の項目である「ＧＰＳ情報」は、撮影時点における位置を表すものである。適用内容としては、ＧＰＳから得られる緯度や経度のデータが用いられ、その位置における撮影範囲としてフレーム番号（フレームＮｏ．）が対応される。ＧＰＳ情報は「５０」のコード情報で表される。
【００８３】
付帯データの、第６の項目である「日付情報」は、撮影時点における日付を表すものである。適用内容として、年月日時曜日などのデータが用いられ、その日時における撮影範囲としてフレーム番号（フレームＮｏ．）が対応される。日付情報は「６０」のコード情報で表される。
【００８４】
付帯データの、第７の項目である「カメラ機種」は、撮影に利用したカメラ、すなわち映像データを得たカメラの機種を表すものである。適用内容としては、カメラの種別及び型番などで構成され、表１の例では、デジカメ（デジタルカメラ）として「７０」、デジタルビデオとして「７１」、カメラ内蔵の携帯端末として「７２」、カメラ内蔵時計として「７３」の各コード情報で表される４種類に小分類されており、その適用範囲としてフレーム番号（フレームＮｏ．）が対応される。
【００８５】
付帯データの、第８の項目である「ＰＷ情報」は、映像データに対する暗証番号を表すものであり、主に秘匿性を必要とするフレームの位置を表している。適用内容としては、暗証番号を含み、その適用範囲としてフレーム番号（フレームＮｏ．）が対応される。コード情報は、「８０」が対応される。
【００８６】
なお、上記の８種類の項目以外にも、焦点距離や絞り値などの撮影条件情報、その動画像ファイルのユーザを表す氏名、住所、年齢、性別などの個人情報、クレジットカードの種別や番号などの決済情報を含むことができる。
【００８７】
次に、図１を参照して、本実施の形態に係る映像サービスシステム１０の概要を説明する。なお、図１は、映像サービスシステム１０の概略機能構成を示すブロック図である。
【００８８】
本実施の形態に係る映像サービスシステム１０は、デジタルカメラによる撮影等によって得られた映像データによる写真プリントのプリントサービス等を行うラボ店に構築されている。
【００８９】
図１に示すように、本実施の形態の映像サービスシステム１０では、デジタルカメラで構成された撮像装置１２による動画像の撮影によって得られた映像データ１４Ａと付帯データ１４Ｂとから構成された動画像ファイル１４の当該付帯データ１４Ｂに基づいて、サービス選択手段２８によりサービス切替手段２０を切り替えることによってサービス種を選択する。
【００９０】
この映像サービスシステム１０では、映像データ１４Ａのストリーミングサーバ２２を介したストリーミング配信を行う映像配信サービス、映像データ１４ＡのＤＶＤ記録装置２４によるＤＶＤ４２への記録を行う映像記録サービス、映像データ１４Ａにより示される画像のプリンタ２６によるインデックスプリント４４やフレーム毎のプリント４６を作成するプリントサービス等が選択的に行われる。なお、この映像サービスシステム１０では、付帯データ１４Ｂに対して情報サーバ４０等に記憶されている外部情報を付与する等、付帯データ１４Ｂを付帯データ編集手段３０により編集することもできる。また、この映像サービスシステム１０では、映像編集手段３２によって映像データ１４Ａを付帯データ１４Ｂに基づいて編集することもできる。
【００９１】
次に、図２を参照して、本実施の形態に係る映像サービスシステム１０を実現するために一例として適用されるコンピュータ・ネットワーク１の構成について説明する。なお、これ以降の説明では錯綜を回避するために、映像サービスシステム１０により提供されるサービスのうちの映像記録サービスに関する部分のみについて図示して説明する。
【００９２】
同図に示すように、コンピュータ・ネットワーク１は通信媒体として、インターネット４８や、各国又は各地域の電話会社が構築・提供する公衆電話網１６などで構成される。公衆電話網１６には、例えば、ＰＳＴＮ（Ｐｕｂｌｉｃ　Ｓｗｉｔｃｈｅｄ　Ｔｅｌｅｐｈｏｎｅ　Ｎｅｔｗｏｒｋ）やＩＳＤＮ（Ｉｎｔｅｇｒａｔｅｄ　Ｓｅｒｖｉｃｅ　Ｄｉｇｉｔａｌ　Ｎｅｔｗｏｒｋ）が含まれる。
【００９３】
インターネット４８と公衆電話網１６とは、ゲートウェイ・システム１７によって相互接続されている。また、電話網として、さらに、ＰＨＳ（Ｐｅｒｓｏｎａｌ　Ｈａｎｄｙ−ｐｈｏｎｅ　Ｓｙｓｔｅｍ）やＰＤＣ（Ｐｅｒｓｏｎａｌ　Ｄｉｇｉｔａｌ　Ｃｅｌｌｕｌａｒ）など各種形式の無線電話網１６Ａ、１６Ｂを含んでいる。なお、無線電話網１６Ａは、不図示の携帯電話器や、後述する撮像装置１２に対するゲートウェイ・システム１７を介してのデータの送受信機能、発信番号の認証機能、位置特定機能等の機能サービスを提供できる。すなわち、本実施の形態に係る撮像装置１２は、携帯電話器と同様に無線電話網１６Ａを介したデータ通信が可能なように構成されており、撮像装置１２毎に固有の番号が予め付与されている。
【００９４】
ここで、インターネット４８には、モデム、ルータ、ＴＡ（Ｔｅｒｍｉｎａｌ　Ａｄａｐｔｅｒ）等の接続装置９０を介して、各地のラボ店が所有する端末装置９２及び情報サーバ４０が接続されている。このようなネットワーク上の端末装置９２や情報サーバ４０は、例えば、ＴＣＰ／ＩＰ（Ｔｒａｎｓｍｉｓｓｉｏｎ　Ｃｏｎｔｒｏｌ　Ｐｒｏｔｏｃｏｌ／ＩｎｔｅｒｎｅｔＰｒｏｔｏｃｏｌ）などの所定の通信プロトコルに従って相互アクセスが可能となっている。
【００９５】
また、前述のＤＶＤ記録装置２４（図１も参照）は、当該ＤＶＤ記録装置２４が設置されているラボ店に設置されている端末装置９２に接続されており、端末装置９２はＤＶＤ記録装置２４との間で各種情報の授受が可能とされている。ここで、前述のサービス選択手段２８、付帯データ編集手段３０、及び映像編集手段３２は端末装置９２に含まれる。
【００９６】
次に、図３を参照して、本実施の形態に係る撮像装置１２の外観上の構成を説明する。同図に示すように、撮像装置１２の正面には、被写体像を結像させるためのレンズ６６と、撮影する被写体の構図を決定するために用いられるファインダ８８と、が備えられている。また、撮像装置１２の上面には、撮影を実行する際にユーザによって押圧操作されるレリーズボタン（所謂シャッター）６７と、電源スイッチ６８と、が備えられている。
【００９７】
なお、本実施の形態に係る撮像装置１２のレリーズボタン６７は、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００９８】
また、本実施の形態に係る撮像装置１２は、静止画像の撮影の他、動画像の撮影も行うことができるように構成されており、静止画像の撮影を行う際には、レリーズボタン６７を半押し状態にすることによりＡＥ（Ａｕｔｏｍａｔｉｃ　Ｅｘｐｏｓｕｒｅ、自動露出）機能が働いて露出状態（シャッタースピード、絞りの状態）が設定された後、ＡＦ（Ａｕｔｏ　Ｆｏｃｕｓ、自動合焦）機能が働いて合焦制御され、その後、引き続き全押し状態にすると露光（撮影）が行われる。
【００９９】
これに対し、動画像の撮影を行う際には、レリーズボタン６７を全押し状態とすることによって動画像の撮影が開始され、レリーズボタン６７の押下状態を一旦未押下位置まで戻した後、再度全押し状態とすることによって当該動画像の撮影が停止されるように構成されている。このように、本実施の形態に係る撮像装置１２では、動画像の撮影を開始するときにレリーズボタン６７を全押し状態とし、当該撮影を停止するときに再度レリーズボタン６７を全押し状態とするものであるが、これに限らず、レリーズボタン６７を全押し状態としている期間中に動画像の撮影を行う形態とすることもできる。
【０１００】
一方、撮像装置１２の背面には、前述のファインダ８８の接眼部と、撮影によって得られたデジタル画像データにより示される被写体像や各種メニュー画面、メッセージ等を表示するための液晶ディスプレイ（以下、「ＬＣＤ」という。）５８と、撮影を行うモードである撮影モード及び撮影によって得られたデジタル画像データにより示される被写体像をＬＣＤ５８に表示（再生）するモードである再生モードの何れか一方のモードに設定する際にユーザによってスライド操作されるモード切替スイッチ６９と、ＬＣＤ５８の表示領域における上・下・左・右の４方向の移動方向を示す４つの矢印キー及び当該４つの矢印キーの中央部に位置された決定キーの合計５つのキーを含んで構成された十字カーソルボタン７０と、が備えられている。
【０１０１】
次に、図４を参照して、本実施の形態に係る撮像装置１２の電気系の構成を説明する。
【０１０２】
同図に示すように、撮像装置１２は、前述のレンズ６６を含んで構成された光学ユニット５０と、レンズ６６の光軸後方に配設されたＣＣＤ５１と、相関二重サンプリング回路（以下、「ＣＤＳ」という。）を含んで構成されたアナログ信号処理部５２と、入力されたアナログ信号をデジタルデータに変換するアナログ／デジタル変換器（以下、「ＡＤＣ」という。）５３と、所定容量のラインバッファを内蔵し、かつ入力されたデジタル画像データを後述するメモリ６１の所定領域に直接記憶させる制御を行うと共に、デジタル画像データに対して各種のデジタル画像処理を行うデジタル信号処理部５４と、を含んで構成されている。
【０１０３】
一方、撮像装置１２は、デジタル画像データにより示される画像やメニュー画面等をＬＣＤ５８に表示させるための信号を生成してＬＣＤ５８に供給するＬＣＤインタフェース５７と、撮像装置１２全体の動作を司るＣＰＵ（中央処理装置）５９と、主として撮影により得られたデジタル画像データを記憶するＶＲＡＭ（Ｖｉｄｅｏ　ＲＡＭ）により構成されたメモリ６１と、メモリ６１に対するアクセスの制御を行うメモリインタフェース６０と、スマートメディアにより構成されたメモリカード６３を撮像装置１２でアクセス可能とするための外部メモリインタフェース６２と、所定の圧縮形式でデジタル画像データに対して圧縮処理を施す一方、圧縮処理されたデジタル画像データに対して圧縮形式に応じた伸張処理を施す圧縮・伸張処理回路６４と、を含んで構成されている。
【０１０４】
また、撮像装置１２には、ＧＰＳ衛星からの電波を受信する不図示のアンテナが内蔵されると共に当該アンテナによって受信した信号を処理して位置情報（本実施の形態では、経度及び緯度の２次元の情報）を取得するＧＰＳ制御回路７２と、ＰＨＳ形式の携帯電話器と同様の通信プロトコルで無線電話網１６Ａを介したデータ通信を行う機能を有するＰＨＳチップ７３と、日付及び時刻を計時するカレンダ／時計機能部７４と、が備えられている。
【０１０５】
デジタル信号処理部５４、ＬＣＤインタフェース５７、ＣＰＵ５９、メモリインタフェース６０、外部メモリインタフェース６２、圧縮・伸張処理回路６４、ＧＰＳ制御回路７２、ＰＨＳチップ７３、カレンダ／時計機能部７４はシステムバスＢＵＳを介して相互に接続されている。従って、ＣＰＵ５９は、デジタル信号処理部５４及び圧縮・伸張処理回路６４の作動の制御、ＬＣＤ５８に対するＬＣＤインタフェース５７を介した各種情報の表示、メモリ６１及びメモリカード６３へのメモリインタフェース６０及び外部メモリインタフェース６２を介したアクセス、ＧＰＳ制御回路７２により取得された位置情報の取得、ＰＨＳチップ７３を介してのコンピュータ・ネットワーク１に接続された装置との間の各種情報の授受、カレンダ／時計機能部７４で計時されている日付を示す日付情報及び時刻を示す時刻情報の取得、を行うことができる。
【０１０６】
一方、撮像装置１２には、主としてＣＣＤ５１を駆動させるためのタイミング信号を生成してＣＣＤ５１に供給するタイミングジェネレータ５５が備えられており、ＣＣＤ５１の駆動はＣＰＵ５９によりタイミングジェネレータ５５を介して制御される。
【０１０７】
更に、撮像装置１２にはモータ駆動部５６が備えられており、光学ユニット５０に備えられた焦点調整モータ、ズームモータ及び絞り駆動モータの駆動もＣＰＵ５９によりモータ駆動部５６を介して制御される。
【０１０８】
すなわち、本実施の形態に係る光学ユニット５０に含まれるレンズ６６は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ５９の制御によりモータ駆動部５６から供給された駆動信号によって駆動される。
【０１０９】
更に、前述のレリーズボタン６７、電源スイッチ６８、モード切替スイッチ６９、及び十字カーソルボタン７０の各種ボタン類及びスイッチ類（同図では、「操作部６５」と総称。）はＣＰＵ５９に接続されており、ＣＰＵ５９は、これらの操作部６５に対する操作状態を常時把握できる。
【０１１０】
撮像装置１２のＣＣＤ５１が本発明の撮像手段に、ＧＰＳ制御回路７２及びカレンダ／時計機能部７４が本発明の取得手段に、ＣＰＵ５９が本発明の記録手段、導出手段、及び天候導出手段に、メモリカード６３が本発明の記録媒体に、各々相当する。
【０１１１】
次に、図５を参照して、本実施の形態に係る端末装置９２の構成を説明する。同図に示すように、端末装置９２は、端末装置９２全体の動作を司るＣＰＵ９５と、各種プログラムやパラメータ値等が予め記憶されたＲＯＭ９６と、ＣＰＵ９５により各種プログラムを実行する際のワークエリア等として用いられるＲＡＭ９７と、インターネット４８を介して外部との各種情報の授受を行う入出力ポート９８と、ＤＶＤ記録装置２４との間の各種情報の授受を制御する外部インタフェース９９と、を含んで構成されている。
【０１１２】
ＣＰＵ９５、ＲＯＭ９６、ＲＡＭ９７、入出力ポート９８、及び外部インタフェース９９はシステムバスＢＵＳ２を介して相互に接続されている。従って、ＣＰＵ９５は、ＲＯＭ９６及びＲＡＭ９７へのアクセス、インターネット４８を介した外部との間の各種情報の授受、外部インタフェース９９を介したＤＶＤ記録装置２４との間の各種情報の授受を各々行うことができる。
【０１１３】
端末装置９２における入出力ポート９８が本発明の入力手段、第１入力手段、及び第２入力手段に、ＣＰＵ９５が本発明の場所情報導出手段、場所情報記録手段、抽出手段、天候情報導出手段、及び天候情報記録手段に、外部インタフェース９９が本発明の接続手段に、各々相当する。また、ＤＶＤ記録装置２４が本発明の画像記録装置に相当する。
【０１１４】
次に、本実施の形態の作用について詳細に説明する。まず、撮像装置１２の作用として、撮影時における撮像装置１２の全体的な動作について図３及び図４を参照しつつ説明する。
【０１１５】
まず、ＣＣＤ５１により光学ユニット５０を介した撮像を行い、被写体像を示すＲ（赤）、Ｇ（緑）、Ｂ（青）の信号をアナログ信号処理部５２に順次出力する。アナログ信号処理部５２は、ＣＣＤ５１から入力された信号に対して相関二重サンプリング処理等のアナログ信号処理を施した後にＡＤＣ５３に順次出力する。ＡＤＣ５３は、アナログ信号処理部５２から入力されたＲ、Ｇ、Ｂの信号を各々１２ビットのＲ、Ｇ、Ｂの信号（デジタル画像データ）に変換してデジタル信号処理部５４に順次出力する。デジタル信号処理部５４は、内蔵しているラインバッファにＡＤＣ５３から順次入力されるデジタル画像データを蓄積して一旦メモリ６１の所定領域に格納する。
【０１１６】
メモリ６１の所定領域に格納されたデジタル画像データは、ＣＰＵ５９による制御によりデジタル信号処理部５４によって読み出され、これらに所定の物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号をメモリ６１の上記所定領域とは異なる領域に格納する。
【０１１７】
なお、ＬＣＤ５８は、ＣＣＤ５１による連続的な撮像によって得られた動画像（所謂スルー画像）を表示してファインダとして使用することができるものとして構成されているが、このようにＬＣＤ５８をファインダとして使用する場合には、生成したＹＣ信号を、ＬＣＤインタフェース５７を介して順次ＬＣＤ５８に出力する。これによってＬＣＤ５８にスルー画像が表示されることになる。
【０１１８】
ここで、撮像装置１２のユーザにより撮影モードでかつ静止画像の撮影が設定されているときにＣＰＵ５９は、レリーズボタン６７がユーザによって全押し状態とされたときに、この時点でメモリ６１に格納されているＹＣ信号を、圧縮・伸張処理回路６４によって所定の圧縮形式（本実施の形態では、ＪＰＥＧ形式）で圧縮した後にメモリカード６３に静止画像の画像ファイルとして記録する。
【０１１９】
また、ユーザにより撮影モードでかつ動画像の撮影が設定されているときにＣＰＵ５９は、レリーズボタン６７が全押し状態とされた時点から次にレリーズボタン６７が全押し状態とされる時点までの期間、すなわち動画像の撮影を行っている期間において、所定期間（本実施の形態では、１／３０秒（０．０３３・・・秒））毎に、メモリ６１に格納されているＹＣ信号を、圧縮・伸張処理回路６４によって所定の圧縮形式（本実施の形態では、Ｍｏｔｉｏｎ　ＪＰＥＧ形式）で圧縮した後に前述の映像データ１４Ａとして付帯データ１４Ｂと共に動画像ファイル１４としてメモリカード６３に記録する。従って、本実施の形態に係る撮像装置１２で動画像の撮影を行ったときには、３０フレーム／秒の動画像をメモリカード６３に記録することができる。
【０１２０】
ここで、ＣＰＵ５９は、付帯データ１４Ｂにおける「ＧＰＳ情報」をＧＰＳ制御回路７２から取得された位置情報に基づいて作成し、「日付情報」をカレンダ／時計機能部７４から取得された日付情報及び時刻情報に基づいて作成して、各々メモリカード６３に記録する。これにより、ＣＣＤ５１による動画像の撮像により得られた映像データと、当該撮像時にＧＰＳ制御回路７２及びカレンダ／時計機能部７４により取得された位置情報及び日付情報とを関連付けてメモリカード６３に記録することができる。
【０１２１】
ところで、撮像装置１２によってメモリカード６３に記録された複数の動画像ファイル１４を、ＰＨＳチップ７３、無線電話網１６Ａ、インターネット４８等を介して最寄りのラボ店に設けられた端末装置９２に送信することにより、当該ラボ店に対する映像記録サービスの依頼がなされる。
【０１２２】
なお、本実施の形態に係る映像記録サービスでは、ユーザから送信されてきた複数の動画像ファイル１４に含まれる付帯データ１４Ｂに基づいて、各動画像ファイル１４に含まれる映像データ１４Ａから、ユーザによって指定された条件に合致したシーンのみを抽出し、時系列的にＤＶＤ４２に記録するサービスを行なう。従って、当該映像記録サービスを依頼する際にユーザは、複数の動画像ファイル１４と共に、上記条件を示す情報（以下、「条件情報」という。）も端末装置９２に送信する。
【０１２３】
ここで、本実施の形態に係る映像記録サービスで指定可能な条件情報は、撮影場所を示す情報（以下、「撮影場所情報」という。）及び撮影時の天候を示す情報（以下、「天候情報」という。）の２種類である。なお、上記撮影場所情報としては、公園名、海岸名、山名、学校名、遊園地名等に代表される撮影場所の名称を示す情報（以下、「名称情報」という。）、及び撮影場所の住所を示す情報（以下、「住所情報」という。）の何れかを指定することができる。また、上記天候情報としては、「晴れ」、「曇り」、「雨」、及び「雪」の何れかを指定することができる。
【０１２４】
また、情報サーバ４０のハードディスク４０Ａ（図１も参照）には、全世界の緯度及び経度を示す情報と当該情報に対応する名称情報とが関連付けられた状態で記憶された名称データベースＤＢ１と、全世界の緯度及び経度を示す情報と当該情報に対応する住所情報とが関連付けられた状態で記憶された住所データベースＤＢ２と、全世界の緯度及び経度を示す情報と当該情報により示される地域の過去の所定期間（本実施の形態では、１年間）の天候情報とが関連付けられた状態で記憶された天候データベースＤＢ３と、が記憶されている。
【０１２５】
次に、各ラボ店に設置されている端末装置９２の作用を説明する。まず、図６を参照して、端末装置９２によって実行される検索情報作成処理について説明する。なお、図６は、端末装置９２のＣＰＵ９５によって常時実行されている検索情報作成処理プログラムの処理の流れを示すフローチャートであり、該プログラムはＲＯＭ９６に予め記憶されている。
【０１２６】
同図のステップ２００では、何れかのユーザからの複数の動画像ファイル１４及び上記条件情報の受信待ちを行なうことにより、映像記録サービスの受注待ちを行なう。なお、ここで受信した複数の動画像ファイル１４及び条件情報は、端末装置９２のＲＡＭ９７に記憶される。
【０１２７】
映像記録サービスが受注されると、次のステップ２０２では、受信した条件情報が撮影場所情報に属するもの（ここでは、「名称情報」及び「住所情報」の何れか）であるか否かを判定し、肯定判定の場合はステップ２０４に移行する。
【０１２８】
ステップ２０４では、受信した撮影場所情報が名称情報であるか否かを判定し、否定判定の場合は受信した撮影場所情報が住所情報であるものと見なしてステップ２０６に移行し、受信した複数の動画像ファイル１４の何れか１つ（この動画像ファイル１４を、以下、「処理対象ファイル」という。）の付帯データ１４ＢにおけるＧＰＳ情報を読出す。
【０１２９】
次のステップ２０８では、読出したＧＰＳ情報に対応する住所情報を、インターネット４８を介して情報サーバ４０に設けられたハードディスク４０Ａの住所データベースＤＢ２から読出し、次のステップ２１０では、読出した住所情報を読出したＧＰＳ情報に対応するフレーム番号に関連付けて、処理対象ファイルの新たな付帯データとしてＲＡＭ９７に記憶する。
【０１３０】
以上の処理により、例えば、処理対象ファイルの付帯データ１４Ｂにおける「ＧＰＳ情報」として、表１に示されるように、フレーム番号が１〜４７９９である静止画像に対して北緯３８．２１及び東経１３４．１２が、フレーム番号が４８００〜１４００２１である静止画像に対して北緯２５．１３及び東経８４．６２が、各々設定されている場合には、一例として次の表２に示すように住所情報が付帯データとして追加される。
【０１３１】
【表２】
2004128680.tif 000004
【０１３２】
この付帯データとして新たに追加した「住所情報」は、撮影時点における住所を表すものである。適用内容としては、ＧＰＳから得られた緯度及び経度の情報に基づいて住所データベースＤＢ２から得られたデータが用いられ、その住所における撮影範囲としてフレーム番号（フレームＮｏ．）が対応される。なお、この例では、住所情報として「９０」のコード情報を割り振っている。
【０１３３】
次のステップ２１２では、ユーザから受信した全ての動画像ファイル１４について上記ステップ２０６〜ステップ２１０の処理が終了したか否かを判定し、否定判定の場合は上記ステップ２０６に戻り、肯定判定となった時点で本検索情報作成処理プログラムを終了する。なお、上記ステップ２０６〜ステップ２１２の処理を繰り返して実行するときには、それまでに処理対象としなかった動画像ファイル１４を処理対象ファイルとする。
【０１３４】
一方、上記ステップ２０４において肯定判定された場合、すなわち、受信した撮影場所情報が名称情報である場合はステップ２１４に移行し、受信した複数の動画像ファイル１４の何れか１つ（以下、「処理対象ファイル」という。）の付帯データ１４ＢにおけるＧＰＳ情報を読出す。
【０１３５】
次のステップ２１６では、読出したＧＰＳ情報に対応する名称情報を、インターネット４８を介して情報サーバ４０に設けられたハードディスク４０Ａの名称データベースＤＢ１から読出し、次のステップ２１８では、読出した名称情報を読出したＧＰＳ情報に対応するフレーム番号に関連付けて、処理対象ファイルの新たな付帯データとしてＲＡＭ９７に記憶する。
【０１３６】
以上の処理により、例えば、処理対象ファイルの付帯データ１４Ｂにおける「ＧＰＳ情報」として、表１に示されるように、フレーム番号が１〜４７９９である静止画像に対して北緯３８．２１及び東経１３４．１２が、フレーム番号が４８００〜１４００２１である静止画像に対して北緯２５．１３及び東経８４．６２が、各々設定されている場合には、一例として次の表３に示すように名称情報が付帯データとして追加される。
【０１３７】
【表３】
2004128680.tif 000005
【０１３８】
この付帯データとして新たに追加した「名称情報」は、撮影時点における位置の名称を表すものである。適用内容としては、ＧＰＳから得られた緯度及び経度の情報に基づいて名称データベースＤＢ１から得られたデータが用いられ、その名称の位置における撮影範囲としてフレーム番号（フレームＮｏ．）が対応される。なお、この例では、名称情報として「１００」のコード情報を割り振っている。
【０１３９】
次のステップ２２０では、ユーザから受信した全ての動画像ファイル１４について上記ステップ２１４〜ステップ２１８の処理が終了したか否かを判定し、否定判定の場合は上記ステップ２１４に戻り、肯定判定となった時点で本検索情報作成処理プログラムを終了する。なお、上記ステップ２１４〜ステップ２２０の処理を繰り返して実行するときには、それまでに処理対象としなかった動画像ファイル１４を処理対象ファイルとする。
【０１４０】
一方、上記ステップ２０２において否定判定された場合は、受信した条件情報が天候情報に属するもの（ここでは、「晴れ」、「曇り」、「雨」、「雪」の何れか）であるものと見なしてステップ２２２に移行し、受信した複数の動画像ファイル１４の何れか１つ（以下、「処理対象ファイル」という。）の付帯データ１４ＢにおけるＧＰＳ情報及び日付情報を読出す。
【０１４１】
次のステップ２２４では、読出したＧＰＳ情報に対応する地域の情報で、かつ読出した日付情報により示される日付に対応する天候情報を、インターネット４８を介して情報サーバ４０に設けられたハードディスク４０Ａの天候データベースＤＢ３から読出し、次のステップ２２６では、読出した天候情報を読出したＧＰＳ情報に対応するフレーム番号に関連付けて、処理対象ファイルの新たな付帯データとしてＲＡＭ９７に記憶する。
【０１４２】
以上の処理により、例えば、表１に示されるように、処理対象ファイルの付帯データ１４Ｂにおける「ＧＰＳ情報」として、フレーム番号が１〜４７９９である静止画像に対して北緯３８．２１及び東経１３４．１２が、フレーム番号が４８００〜１４００２１である静止画像に対して北緯２５．１３及び東経８４．６２が、各々設定されており、かつ処理対象ファイルの付帯データ１４Ｂにおける「日付情報」として、フレーム番号が１〜４７９９である静止画像に対して２００２年７月４日が、フレーム番号が４８００〜１４００２１である静止画像に対して２００２年７月７日が、各々設定されている場合には、一例として次の表４に示すように天候情報が付帯データとして追加される。
【０１４３】
【表４】
2004128680.tif 000006
【０１４４】
この付帯データとして新たに追加した「天候情報」は、撮影時点における位置の天候を表すものである。適用内容としては、ＧＰＳ情報及び日付情報に基づいて天候データベースＤＢ３から得られたデータが用いられ、その天候における撮影範囲としてフレーム番号（フレームＮｏ．）が対応される。なお、この例では、天候情報として「１１０」のコード情報を割り振っている。
【０１４５】
次のステップ２２８では、ユーザから受信した全ての動画像ファイル１４について上記ステップ２２２〜ステップ２２６の処理が終了したか否かを判定し、否定判定の場合は上記ステップ２２２に戻り、肯定判定となった時点で本検索情報作成処理プログラムを終了する。なお、上記ステップ２２２〜ステップ２２８の処理を繰り返して実行するときには、それまでに処理対象としなかった動画像ファイル１４を処理対象ファイルとする。
【０１４６】
次に、図７を参照して、端末装置９２によって実行されるシーン検索処理について説明する。なお、図７は、端末装置９２のＣＰＵ９５によって前述の検索情報作成処理プログラムが終了したときに実行されているシーン検索処理プログラムの処理の流れを示すフローチャートであり、該プログラムもＲＯＭ９６に予め記憶されている。
【０１４７】
同図のステップ３００では、上記検索情報作成処理プログラムのステップ２００で受信した条件情報が撮影場所情報に属するもの（ここでは、「名称情報」及び「住所情報」の何れか）であるか否かを判定し、肯定判定の場合はステップ３０２に移行する。
【０１４８】
ステップ３０２では、受信した撮影場所情報が名称情報であるか否かを判定し、否定判定の場合は受信した撮影場所情報が住所情報であるものと見なしてステップ３０４に移行し、上記ステップ２００において受信した複数の動画像ファイル１４における前述の住所情報が新たに加えられた付帯データ１４Ｂを検索して、上記条件情報に合致する住所情報に対応するフレーム番号を全て検出し、その後にステップ３１０に移行する。
【０１４９】
一方、上記ステップ３０２において肯定判定された場合、すなわち、受信した撮影場所情報が名称情報である場合はステップ３０６に移行し、上記ステップ２００において受信した複数の動画像ファイル１４における前述の名称情報が新たに加えられた付帯データ１４Ｂを検索して、上記条件情報に合致する名称情報に対応するフレーム番号を全て検出し、その後にステップ３１０に移行する。
【０１５０】
更に、上記ステップ３００において否定判定された場合は、受信した条件情報が天候情報に属するものであるものと見なしてステップ３０８に移行し、上記ステップ２００において受信した複数の動画像ファイル１４における前述の天候情報が新たに加えられた付帯データ１４Ｂを検索して、上記条件情報に合致する天候情報に対応するフレーム番号を全て検出し、その後にステップ３１０に移行する。
【０１５１】
ステップ３１０では、上記ステップ３０４、又は上記ステップ３０６、又は上記ステップ３０８の何れかにおいて検出した全てのフレーム番号に対応する映像データを対応する動画像ファイル１４の映像データ１４Ａから読出すと共に、対応する日付情報も対応する付帯データ１４Ｂから読出し、読出した映像データと日付情報とを関連付けてＲＡＭ９７に記憶する。
【０１５２】
以上の処理により、ユーザによって指定された条件情報により示される条件に合致する条件下で撮影された動画像又は静止画像を示す全ての映像データが、撮影された日付を示す日付情報と共にＲＡＭ９７に記憶されるので、次のステップ３１２では、当該映像データを日付情報により示される日付順にソーティングする。
【０１５３】
次のステップ３１４では、ソーティングされた全ての映像データ（以下、「記録対象映像データ群」という。）を、外部インタフェース９９を介してＤＶＤ記録装置２４に送信した後、次のステップ３１６で当該ＤＶＤ記録装置２４からの所定情報の受信待ちを行なう。
【０１５４】
記録対象映像データ群を受信したＤＶＤ記録装置２４は、当該映像データ群をＤＶＤ４２に記録した後、当該映像データ群の記録が終了した旨を示す情報を端末装置９２に対して送信する。これによって上記ステップ３１６が肯定判定となってステップ３１８に移行する。
【０１５５】
ステップ３１８では、依頼元の撮像装置１２に対して映像記録サービスに対する対価を要求する旨のメールを送信し、その後に本シーン検索処理プログラムを終了する。
【０１５６】
なお、上記対価を要求する旨のメールを受信した撮像装置１２では、当該メールをＬＣＤ５８に表示する。また、上記シーン検索処理プログラムの処理によってＤＶＤ記録装置２４により作成されたＤＶＤ４２は、依頼元のユーザ自身がラボ店に受け取りに行ってもよいし、ラボ店が受信した動画像ファイル１４の付帯データ１４Ｂにユーザを表す氏名及び住所が含まれている場合には、これらの情報を用いて、ユーザに対して配送する形態を採ることもできる。更に、受信した動画像ファイル１４の付帯データ１４Ｂに、クレジットカードの種別や番号などの決済情報が含まれている場合には、当該情報を用いて、映像記録サービスの対価を自動的に引き落とす（徴収する）形態とすることもできる。
【０１５７】
また、本実施の形態に係る端末装置９２により付帯データとして新規に追加した天候情報は映像サービスシステム１０におけるプリントサービスを実施する際に、画像補正処理の補正量として用いることができる。すなわち、天候情報により示される撮影時の天候が「晴れ」であれば、当該撮影によって得られた画像は比較的明るいことが考えられるので、明るさの補正量を比較的少なくし、撮影時の天候が「雨」であれば、当該撮影によって得られた画像は比較的暗いことが考えられるので、明るさの補正量を明るくする側に比較的多くする。これによって、品質の高いプリントを得ることができる。
【０１５８】
以上詳細に説明したように、本実施の形態に係る撮像装置１２は、動画像の撮像により得られた当該動画像を示す画像データ（本実施の形態では、映像データ１４Ａ）と当該撮像時の自己の位置を示す位置情報（本実施の形態では、ＧＰＳ情報）とを関連付けて記録媒体（本実施の形態では、メモリカード６３）に記録しているので、記録した位置情報から所望のシーンを撮影した位置を示す位置情報を抽出することのみにより、動画像を示す画像データから所望のシーンのみを効率よく抽出することができる。
【０１５９】
一方、本実施の形態に係る端末装置９２は、動画像が撮像されて得られた画像データと当該撮像が行なわれた位置を示す位置情報とを関連付けた状態で入力し、入力した位置情報によって示される位置を示す名称情報及び住所情報を導出し、導出した名称情報及び住所情報を、入力した画像データと関連付けて記録しているので、動画像を示す画像データから所望のシーンのみを効率よく抽出することができる。
【０１６０】
また、本実施の形態に係る端末装置９２は、動画像が撮像されて得られた画像データと当該撮像が行なわれた位置を示す位置情報とを関連付けた状態で入力すると共に、画像の抽出対象とする撮像位置を示す抽出情報（本実施の形態では、条件情報）を入力し、上記位置情報から上記抽出情報によって示される撮像位置を示す情報を抽出し、当該情報に対応する画像データを上記画像データから抽出しているので、動画像を示す画像データから所望のシーンのみを効率よく抽出することができる。
【０１６１】
また、本実施の形態に係る端末装置９２は、位置情報によって示される位置を示す名称情報及び住所情報を導出し、導出した名称情報及び住所情報から抽出情報によって示される撮像位置を示す情報を抽出し、当該情報に対応する画像データを入力された画像データから抽出しているので、より効率よく所望のシーンのみを抽出することができる。
【０１６２】
また、本実施の形態に係る端末装置９２は、動画像が撮像されて得られた画像データと当該撮像が行なわれた位置を示す位置情報及び当該撮像が行なわれた日付を示す日付情報とを関連付けた状態で入力し、入力した位置情報によって示される位置における上記日付情報により示される日付の天候を示す天候情報を導出し、導出した天候情報を上記画像データと関連付けて記録しているので、動画像を示す画像データから所望のシーンのみを効率よく抽出することができる。
【０１６３】
更に、本実施の形態に係る端末装置９２は、画像の抽出対象とする天候を示す天候抽出情報（本実施の形態では、条件情報）を更に入力し、上記天候情報から上記天候抽出情報によって示される天候を示す情報を抽出し、当該情報に対応する画像データを上記画像データから抽出しているので、動画像を示す画像データから所望のシーンのみを効率よく抽出することができる。
【０１６４】
一方、本実施の形態に係る映像サービスシステム１０は、以上のような端末装置９２が含まれるので、当該端末装置９２と同様に、動画像を示す画像データから所望のシーンのみを効率よく抽出することができると共に、抽出された画像データを予め定められた可搬型の記録媒体（本実施の形態では、ＤＶＤ４２）に記録しているので、当該記録媒体を効率よく得ることができる。
【０１６５】
〔第２実施形態〕
上記第１実施形態では、ラボ店に設けられた端末装置９２において撮影場所情報及び天候情報を付帯データとして付加する場合について説明したが、本第２実施形態では、これらの情報を撮像装置１２において付帯データとして付加する場合の形態について説明する。なお、撮像装置１２及び端末装置９２の構成は、上記第１実施形態（図３〜図５参照）と同様であるので、ここでの説明は省略する。
【０１６６】
以下、図８を参照して、本第２実施形態に係る撮像装置１２によって実行される検索情報付加処理について説明する。なお、図８は、撮像装置１２のＣＰＵ５９によって動画像の撮影後に実行される検索情報付加処理プログラムの処理の流れを示すフローチャートである。
【０１６７】
同図のステップ４００では、予め定められた付加情報指定画面をＬＣＤ５８に表示させ、次のステップ４０２にて所定情報の入力待ちを行なう。図９には、上記ステップ４００の処理によってＬＣＤ５８に表示された付加情報指定画面が示されている。同図に示されるように、本実施の形態に係る付加情報指定画面では、所望の付加情報の指定を促す旨のメッセージが表示されると共に、指定可能な付加情報として、「撮影場所情報（名称情報）」、「撮影場所情報（住所情報）」、及び「天候情報」の３種類の情報名が表示される。
【０１６８】
同図に示されるような付加情報指定画面がＬＣＤ５８に表示されると、ユーザは、十字カーソルボタン７０の操作によって付加したい情報を指定する。これによってＣＰＵ５９には、ユーザによって指定された付加情報を示す情報が入力され、上記ステップ４０２が肯定判定となってステップ４０４に移行する。
【０１６９】
ステップ４０４では、ユーザによって指定された付加情報が撮影場所情報に属するもの（ここでは、「名称情報」及び「住所情報」の何れか）であるか否かを判定し、肯定判定の場合はステップ４０６に移行する。
【０１７０】
ステップ４０６では、ユーザによって指定された撮影場所情報が名称情報であるか否かを判定し、否定判定の場合は指定された撮影場所情報が住所情報であるものと見なしてステップ４０８に移行し、処理対象とする動画像ファイル１４の付帯データ１４ＢにおけるＧＰＳ情報を読出す。
【０１７１】
次のステップ４１０では、読出したＧＰＳ情報に対応する住所情報を、インターネット４８を介して情報サーバ４０に設けられたハードディスク４０Ａの住所データベースＤＢ２から読出し、次のステップ４１２では、読出した住所情報を読出したＧＰＳ情報に対応するフレーム番号に関連付けて、処理対象とする動画像ファイル１４の新たな付帯データとしてメモリカード６３に記憶し、その後に本検索情報付加処理プログラムを終了する。
【０１７２】
以上の処理により、例えば、処理対象とする動画像ファイル１４の付帯データ１４Ｂにおける「ＧＰＳ情報」として、表１に示されるように、フレーム番号が１〜４７９９である静止画像に対して北緯３８．２１及び東経１３４．１２が、フレーム番号が４８００〜１４００２１である静止画像に対して北緯２５．１３及び東経８４．６２が、各々設定されている場合には、一例として上記の表２に示すように住所情報が付帯データとして追加される。
【０１７３】
一方、上記ステップ４０６において肯定判定された場合、すなわち、ユーザによって指定された撮影場所情報が名称情報である場合はステップ４１４に移行し、処理対象とする動画像ファイル１４の付帯データ１４ＢにおけるＧＰＳ情報を読出す。
【０１７４】
次のステップ４１６では、読出したＧＰＳ情報に対応する名称情報を、インターネット４８を介して情報サーバ４０に設けられたハードディスク４０Ａの名称データベースＤＢ１から読出し、次のステップ４１８では、読出した名称情報を読出したＧＰＳ情報に対応するフレーム番号に関連付けて、処理対象とする動画像ファイル１４の新たな付帯データとしてメモリカード６３に記憶し、その後に本検索情報付加処理プログラムを終了する。
【０１７５】
以上の処理により、例えば、処理対象とする動画像ファイル１４の付帯データ１４Ｂにおける「ＧＰＳ情報」として、表１に示されるように、フレーム番号が１〜４７９９である静止画像に対して北緯３８．２１及び東経１３４．１２が、フレーム番号が４８００〜１４００２１である静止画像に対して北緯２５．１３及び東経８４．６２が、各々設定されている場合には、一例として上記の表３に示すように名称情報が付帯データとして追加される。
【０１７６】
一方、上記ステップ４０４において否定判定された場合は、ユーザによって指定された付加情報が天候情報に属するものであるものと見なしてステップ４２０に移行し、処理対象とする動画像ファイル１４の付帯データ１４ＢにおけるＧＰＳ情報及び日付情報を読出す。
【０１７７】
次のステップ４２２では、読出したＧＰＳ情報に対応する地域の情報で、かつ読出した日付情報により示される日付に対応する天候情報を、インターネット４８を介して情報サーバ４０に設けられたハードディスク４０Ａの天候データベースＤＢ３から読出し、次のステップ４２４では、読出した天候情報を読出したＧＰＳ情報に対応するフレーム番号に関連付けて、処理対象とする動画像ファイル１４の新たな付帯データとしてメモリカード６３に記憶し、その後に本検索情報付加処理プログラムを終了する。
【０１７８】
以上の処理により、例えば、表１に示されるように、処理対象ファイルの付帯データ１４Ｂにおける「ＧＰＳ情報」として、フレーム番号が１〜４７９９である静止画像に対して北緯３８．２１及び東経１３４．１２が、フレーム番号が４８００〜１４００２１である静止画像に対して北緯２５．１３及び東経８４．６２が、各々設定されており、かつ処理対象ファイルの付帯データ１４Ｂにおける「日付情報」として、フレーム番号が１〜４７９９である静止画像に対して２００２年７月４日が、フレーム番号が４８００〜１４００２１である静止画像に対して２００２年７月７日が、各々設定されている場合には、一例として上記の表４に示すように天候情報が付帯データとして追加される。
【０１７９】
なお、本第２実施形態に係る端末装置９２では、第１実施形態において実行した検索情報作成処理プログラム（図６参照）を実行する必要はない。
【０１８０】
以上詳細に説明したように、本第２実施形態に係る撮像装置１２は、上記第１実施形態に係る撮像装置１２と同様の効果を奏することができると共に、本発明の位置情報として緯度情報及び経度情報を取得し、取得した緯度情報及び経度情報によって示される位置を示す名称情報及び住所情報の少なくとも一方を導出し、導出した名称情報及び住所情報の少なくとも一方を対応する画像データと関連付けて記録媒体に更に記録しているので、より効率よく所望のシーンのみを抽出することができる。
【０１８１】
また、本実施の形態に係る撮像装置１２は、動画像の撮像により得られた当該動画像を示す画像データと当該撮像時における天候を示す天候情報とを関連付けて記録媒体に記録しているので、記録した天候情報から所望のシーンを撮影したときの天候を示す天候情報を抽出することのみにより、動画像を示す画像データから所望のシーンのみを効率よく抽出することができる。
【０１８２】
なお、上記各実施の形態では、本発明の撮像装置をデジタル・スチル・カメラに適用した場合について説明したが、本発明はこれに限定されるものではなく、例えば、デジタル・ビデオ・カメラ等、動画像を撮影可能な他の装置に適用することもできる。この場合も、各実施の形態と同様の効果を奏することができる。
【０１８３】
また、上記各実施の形態では、インターネットを介して映像記録サービスを依頼すると共に、当該依頼に対する対価をインターネットを介して要求する場合について説明したが、本発明はこれに限定されるものではなく、例えば、撮像装置１２により作成された動画像ファイル１４の記録されたメモリカード６３をユーザがラボ店に直接持参して映像記録サービスを依頼する形態や、当該依頼に応じて作成されたＤＶＤをユーザがラボ店から受け取る際に、当該依頼に対する対価をユーザに対して直接要求する形態とすることもできる。
【０１８４】
また、上記各実施の形態では、映像記録サービスをラボ店に依頼する際に複数の動画像ファイル１４を当該ラボ店に送信する場合について説明したが、本発明はこれに限定されるものではなく、例えば、ラボ店に送信する動画像ファイル１４を１つとする形態とすることもできることは言うまでもない。この場合も、各実施の形態と同様の効果を奏することができる。
【０１８５】
また、上記各実施の形態では、付帯データを映像データと同一の動画像ファイルに記録した場合について説明したが、本発明はこれに限定されるものではなく、例えば、付帯データと映像データとを別のファイルとして記録する形態とすることもできる。この場合は、付帯データ及び映像データの対応付けを示す情報を記録しておく必要がある。この場合も、各実施の形態と同様の効果を奏することができる。
【０１８６】
また、上記各実施の形態では、ＧＰＳ情報に基づいて得られた住所情報又は名称情報を付帯データとして付帯させ、当該情報を利用して所望のシーンを検出する場合について説明したが、本発明はこれに限定されるものではなく、ＧＰＳ情報により示される緯度情報及び経度情報を利用して、直接所望のシーンを検出する形態とすることもできる。この場合、第１実施形態において端末装置９２にて実行していた検索情報作成処理プログラムや、第２実施形態において撮像装置１２にて実行していた検索情報付加処理プログラムは必要がなくなり、端末装置９２ないし撮像装置１２に対する処理の負荷を低減することができる。
【０１８７】
また、上記各実施の形態では、天候情報として「晴れ」、「曇り」等の撮影時における実際の天候を適用した場合について説明したが、本発明はこれに限定されるものではなく、例えば、雨６０％、曇り４０％といったような確率を伴ったものとする形態とすることもできる。この場合も、各実施の形態と同様の効果を奏することができる。
【０１８８】
また、上記各実施の形態で説明した各種処理プログラム（図６〜図８参照）の処理の流れは一例であり、本発明の主旨を逸脱しない範囲内において適宜変更可能であることは言うまでもない。
【０１８９】
更に、上記各実施の形態で説明した撮像装置１２及び端末装置９２（図３〜図５参照）の構成も一例であり、本発明の主旨を逸脱しない範囲内において適宜変更可能であることは言うまでもない。
【０１９０】
【発明の効果】
以上詳細に説明したように、本発明に係る撮像装置によれば、動画像の撮像により得られた当該動画像を示す画像データと当該撮像時の自己の位置を示す位置情報とを関連付けて記録媒体に記録しているので、記録した位置情報から所望のシーンを撮影した位置を示す位置情報を抽出することのみにより、動画像を示す画像データから所望のシーンのみを効率よく抽出することができる、という効果が得られる。
【０１９１】
また、請求項４に記載の編集装置及び請求項１０に記載の編集方法によれば、動画像が撮像されて得られた画像データと当該撮像が行なわれた位置を示す位置情報とを関連付けた状態で入力し、入力した位置情報によって示される位置を示す名称情報及び住所情報の少なくとも一方を導出し、導出した名称情報及び住所情報の少なくとも一方を、入力した画像データと関連付けて記録しているので、動画像を示す画像データから所望のシーンのみを効率よく抽出することができる、という効果が得られる。
【０１９２】
また、請求項５、請求項６に記載の編集装置及び請求項１１、請求項１２に記載の編集方法によれば、動画像が撮像されて得られた画像データと当該撮像が行なわれた位置を示す位置情報とを関連付けた状態で入力すると共に、画像の抽出対象とする撮像位置を示す抽出情報を入力し、上記位置情報から上記抽出情報によって示される撮像位置を示す情報を抽出し、当該情報に対応する画像データを上記画像データから抽出しているので、動画像を示す画像データから所望のシーンのみを効率よく抽出することができる、という効果が得られる。
【０１９３】
また、請求項７、請求項８に記載の編集装置及び請求項１３、請求項１４に記載の編集方法によれば、動画像が撮像されて得られた画像データと当該撮像が行なわれた位置を示す位置情報及び当該撮像が行なわれた日付を示す日付情報とを関連付けた状態で入力し、入力した位置情報によって示される位置における上記日付情報により示される日付の天候を示す天候情報を導出し、導出した天候情報を上記画像データと関連付けて記録しているので、動画像を示す画像データから所望のシーンのみを効率よく抽出することができる、という効果が得られる。
【０１９４】
更に、本発明に係る編集システムによれば、請求項５、請求項６及び請求項８の何れか１項記載の編集装置が含まれるので、これらの発明と同様に、動画像を示す画像データから所望のシーンのみを効率よく抽出することができると共に、抽出された画像データを予め定められた可搬型の記録媒体に記録しているので、当該記録媒体を効率よく得ることができる、という効果が得られる。
【図面の簡単な説明】
【図１】実施の形態に係る映像サービスシステム１０の概略機能構成を示すブロック図である。
【図２】実施の形態に係る映像サービスシステム１０を実現するために一例として適用されるコンピュータ・ネットワークの構成を示すブロック図である。
【図３】実施の形態に係る撮像装置１２の外観上の構成を示す外観図である。
【図４】実施の形態に係る撮像装置１２の電気系の構成を示すブロック図である。
【図５】実施の形態に係る端末装置９２の構成を示すブロック図である。
【図６】第１実施形態に係る端末装置９２で実行される検索情報作成処理プログラムの処理の流れを示すフローチャートである。
【図７】実施の形態に係る端末装置９２で実行されるシーン検索処理プログラムの処理の流れを示すフローチャートである。
【図８】第２実施形態に係る撮像装置１２で実行される検索情報付加処理プログラムの処理の流れを示すフローチャートである。
【図９】検索情報付加処理プログラムの実行途中で撮像装置１２のＬＣＤ５８に表示される付加情報指定画面の一例を示す概略図である。
【符号の説明】
１０　　映像サービスシステム
１２　　撮像装置
１４　　動画像ファイル
１４Ａ　　映像データ
１４Ｂ　　付帯データ
２４　　ＤＶＤ記録装置（画像記録装置）
５１　　ＣＣＤ（撮像手段）
５９　　ＣＰＵ（記録手段、導出手段、天候導出手段）
６３　　メモリカード（記録媒体）
７２　　ＧＰＳ制御回路（取得手段）
７３　　ＰＨＳチップ
７４　　カレンダ／時計機能部（取得手段）
９２　　端末装置
９５　　ＣＰＵ（場所情報導出手段、場所情報記録手段、抽出手段、天候情報導出手段、天候情報記録手段）
９８　　入出力ポート（入力手段、第１入力手段、第２入力手段）
９９　　外部インタフェース（接続手段）
【図１】
2004128680.tif 000007
【図２】
2004128680.tif 000008
【図３】
2004128680.tif 000009
【図４】
2004128680.tif 000010
【図５】
2004128680.tif 000011
【図６】
2004128680.tif 000012
【図７】
2004128680.tif 000013
【図８】
2004128680.tif 000014
【図９】
2004128680.tif 000015